(57)【特許請求の範囲】
【請求項１】
電子機器が設置される壁体と、
当該壁体上に前記電子機器を覆うように設けられた機器収納容器と、
この機器収納容器内の前記壁体上に設けられた箱状体であり、内部が仕切壁によって吸気室と排気室とに区画された中容器と、
この中容器内の前記仕切壁を貫通するように設けられ、前記吸気室内の空気を除湿して前記排気室に排出する吸湿器とを備え、
この吸湿器は、前記吸気室内に設けられた室内空気吸入部と、前記排気室内に設けられ、複数の吸湿シートが軸を中心にして放射状に配置されてなる放射状吸湿体とを有し、
この放射状吸湿体は、前記軸がモータで駆動されて回転するように構成され、
前記中容器には、前記壁体外と吸気室内とに連通する外気導入口と、前記壁体外と前記排気室内とに連通する吸湿空気排出口と、前記機器収納容器内かつ中容器外の空間である機器収納容器空間と吸気室内とに連通する吸気口と、前記機器収納容器空間と排気室内とに連通する排気口と、前記外気導入口の連通を制御する第１の開閉弁と、前記吸湿空気排出口の連通を制御する第２の開閉弁と、前記吸気口の連通を制御する第３の開閉弁と、前記排気口の連通を制御する第４の開閉弁とが設けられ、
前記機器収納容器空間内の空気を乾燥させる際に、前記第１の開閉弁と第２の開閉弁とが閉塞された状態で前記第３の開閉弁と第４の開閉弁とが開放されるとともに、前記放射状吸湿体を乾燥させる際に、前記第３の開閉弁と第４の開閉弁とが閉塞された状態で前記第１の開閉弁と第２の開閉弁とが開放されるように制御されることを特徴とする吸湿装置。
【請求項２】
前記排気室内には、冷却器が備えられ、吸湿空気に含まれる湿分を一端冷却器表面に付着させて液体の水としてから前記排気口を介して外部に排出するようにしたことを特徴とする請求項１に記載の吸湿装置。
【請求項３】
前記吸湿シートは、片面吸湿シートを積層して設けたことを特徴とする請求項１または２に記載の吸湿装置。
【請求項４】
前記吸湿シートには、複数の透孔が設けられたことを特徴とする請求項１乃至３のいずれか１項に記載の吸湿装置。
【請求項５】
前記吸湿シートには、ニクロム線が配設されたことを特徴とする請求項１乃至４のいずれか１項に記載の吸湿装置。
【請求項６】
前記ニクロム線は、複数の吸湿シートの片面吸湿シート間に挟み込まれて設けられたことを請求項５に記載の吸湿装置。
【発明の詳細な説明】
【技術分野】
【０００１】
本発明は、航空機や、地上に設置される電子機器に用いるに適する吸湿装置に係るもので、特に吸湿材を備えこの吸湿材を再生利用することができるようにした吸湿装置に関する。
【背景技術】
【０００２】
従来、この種の吸湿装置として、防水・通気作用を得られるようにするために、例えば航空機の外壁に設けられたアンテナ装置の電気的特性を劣化させることなく、防水性と通気性を兼ね備えたものが実用化されている。
【０００３】
この吸湿装置は、航空機が特に上昇中において負圧になる環境下で、機内空気が進入してこの空気に含まれる水分を前もって取り除こうとするものである。
【０００４】
この種の吸湿装置として、例えば図１０（特許文献１参照）に示すようなものがある。
【０００５】
吸湿装置１には、例えば航空機の壁体２にアンテナ装置３が設けられ、その外側に外気から保護するレドーム４が設けられる。壁体２には、レドーム４により形成される壁体２とレドーム４により囲われる空間（以下、機外側空間という。）ｓ１側から壁体２に囲われる空間（以下、機内側空間という。）ｓ２へ通ずる通気孔５が形成される。通気孔５は、この通気孔５の中間部に径大部５ａが形成され、この径大部５ａには、例えばゴアテックス（登録商標）（ゴアテックス社（以下同じ））のような防水性および通気性を有する防水通気部材６が設けられる。
【０００６】
このように構成された吸湿装置１は、この吸湿装置１が装着された航空機が上昇すると、レドーム４内の機外側空間ｓ１が機内側空間ｓ２に比し一時的に負圧状態になり、機内側空間ｓ２の空気ａが実線矢印にて示すように防水通気部材６を通過して機外側空間ｓ１側へ流出する。そして、機内側の空気が矢印ａ方向に沿って機外側へ流出することにより、機外側空間ｓ１と機内側空間ｓ２における空気圧がほぼ同等になり、機内・外側間で差圧がほとんど生じなくなる。
【０００７】
一方、航空機が下降すると、機外側空間ｓ１の気圧が徐々に高くなり、機内側空間ｓ２の気圧が相対的に負圧状態になり、機外側空間ｓ１内の空気が点線矢印ｂのように防水通気部材６を介して機内側空間ｓ２に逆流する。
【０００８】
従って、機内側空間ｓ２が一時的に負圧状態になるか、機内側空間ｓ２の空気ａ´の流入により機外側空間ｓ１と機内側空間ｓ２側における空気圧がほぼ同等になり、機内・外側間で差圧がほとんど生じなくなる。このため、アンテナ装置３が外気圧によって押し潰されたりする虞がない。
【０００９】
また、機外側が負圧状態にある場合、機内側空間ｓ２の空気が、機内側空間ｓ２から機外側空間ｓ１へ流出する過程で、空気に含まれる水滴(図示せず)が防水通気部材６により除去され、機外側のアンテナ装置３に浸入するのを防止している。
【特許文献１】特開平９−２２３９１１号公報
【発明の開示】
【発明が解決しようとする課題】
【００１０】
しかしながら、従来の吸湿装置によれば、防水通気部材６が十分に吸湿した場合には、再生可能なものではないので、航空機の点検時等着陸時に交換せざるを得ない。また、使用時は交換ができないため吸湿作用が十分に得られず、搭載した電子機器の故障を起し易い環境にあった。
【００１１】
本発明は、上記事情に鑑みてなされたもので、アンテナ装置等の電子機器を搭載した航空機等の構造体にあって、水分や湿分をきらう電子機器の運用をする上で、電子機器に悪影響を及ぼさないように設けられる吸湿装置を提供することを目的とする。
【課題を解決するための手段】
【００１２】
上記目的を達成するために、本発明によれば、電子機器が設置される壁体と、当該壁体上に前記電子機器を覆うように設けられた機器収納容器と、この機器収納容器内の前記壁体上に設けられた箱状体であり、内部が仕切壁によって吸気室と排気室とに区画された中容器と、この中容器内の前記仕切壁を貫通するように設けられ、前記吸気室内の空気を除湿して前記排気室に排出する吸湿器とを備え、この吸湿器は、前記吸気室内に設けられた室内空気吸入部と、前記排気室内に設けられ、複数の吸湿シートが軸を中心にして放射状に配置されてなる放射状吸湿体とを有し、この放射状吸湿体は、前記軸がモータで駆動されて回転するように構成され、前記中容器には、前記壁体外と吸気室内とに連通する外気導入口と、前記壁体外と前記排気室内とに連通する吸湿空気排出口と、前記機器収納容器内かつ中容器外の空間である機器収納容器空間と吸気室内とに連通する吸気口と、前記機器収納容器空間と排気室内とに連通する排気口と、前記外気導入口の連通を制御する第１の開閉弁と、前記吸湿空気排出口の連通を制御する第２の開閉弁と、前記吸気口の連通を制御する第３の開閉弁と、前記排気口の連通を制御する第４の開閉弁とが設けられ、前記機器収納容器空間内の空気を乾燥させる際に、前記第１の開閉弁と第２の開閉弁とが閉塞された状態で前記第３の開閉弁と第４の開閉弁とが開放されるとともに、前記放射状吸湿体を乾燥させる際に、前記第３の開閉弁と第４の開閉弁とが閉塞された状態で前記第１の開閉弁と第２の開閉弁とが開放されるように制御されることを特徴とする吸湿装置を提供する。
【発明の効果】
【００１３】
本発明によれば、アンテナ装置等の電子機器を搭載した航空機等の構造体にあって、水分や湿分をきらう電子機器の運用をする上で機器に好影響が得られると共に、使用される吸湿剤の再生利用を可能にした吸湿装置を提供することができる。
【発明を実施するための最良の形態】
【００１４】
［第１の実施形態］
本発明にかかる吸湿装置の第１の実施形態について、添付図面（図１〜図５）を参照して説明する。
【００１５】
図１は、本発明の吸湿装置１０の第１の実施形態を示す要部縦断側面図である。図２は、図１の吸湿器組立１３の吸湿器１４の外観イメージを示す斜視図である。図３は、図２に示す吸湿器１４に対する空気の流通路を示す吸湿器１４の側面図である。図４は、図３に示す吸湿器１４の歯車状吸湿体１５の吸湿シート２０の拡大斜視図である。
【００１６】
図１に示す吸湿装置１０は、被取付体である、例えば航空機の電子機器Ｐを設置する壁体１１と、壁体１１上にあって、電子機器Ｐを覆うように設けられる機器収納容器１２と、この機器収納容器１２内に設けられ、壁体１１に取り付けられて、機器収納容器１２内の室内空気ａから吸湿する吸湿装置本体としての吸湿器組立１３とを具備する。
【００１７】
室内空気ａは、外気である乾燥空気ａ１と、電子機器室ｘで吸収した吸湿空気ａ２の混合した空気である。
【００１８】
機器収納容器１２は、例えば航空機の壁体１１に取り付けられる電子機器Ｐ（点線図示）を覆うように設けられる。
【００１９】
機器収納容器１２は、壁体１１に取り付けられる電子機器Ｐを覆うように電子機器室ｘが設けられる。また、この電子機器室ｘは、電子機器Ｐが故障なく正常に作動するように所定の湿度に保たれるようになっている。
【００２０】
この機器収納容器１２内には、初期滞留する空気（室外空気と乾燥空気が混在）ａが所定の湿度以下に保つために中容器１８が設けられる。
【００２１】
吸湿器組立１３は、機器収納容器１２内の室内空気ａが循環できるように中容器１８が設けられる。この中容器１８には、吸気口１８ａおよび排気口１８ｂが設けられ、電子機器室ｘから吸気室ｙおよび排気室ｚと空気循環するようになっている。
【００２２】
この中容器１８内には、中央部に室内空気吸入部１６と歯車状吸湿体１５を一体的に供えた吸湿器１４が設けられる。
【００２３】
また、中容器１８には、前記吸湿器１４の室内空気吸入部１６を収用する吸気室ｙと歯車状吸湿体１５を収用する排気室ｚが設けられる。吸気室ｙの底部には、外気導入口１１ｂとこの導入口１１ｂを開閉する第１の開閉弁１１ｄが設けられる。この第１の開閉弁１１ｄは、吸湿装置１０の初期運用時には開いて室外空気ｂが取り込まれるようになっている。更に、この吸湿空気排出口１１ｃには、吸湿空気放出手段としての開閉自在な第２の開閉弁１１ｅが設けられ、吸湿器１４により前記機器収納容器１２内を循環し湿分を吸収した吸湿空気ａ２を吸湿器１４の除湿時に第２の開閉弁１１ｅを開くようになり、外気導入口１１ｂおよび吸湿空気排出口１１ｃは、吸湿器１４の通常運転時に閉じるようになっている。
【００２４】
また、中容器１８の吸気室ｙに設けられる吸気口１８ａには、これを開閉する第３の開閉弁１８ｃが、排気室ｚの側壁に設けられる。排気口１８ｂには、これを開閉する第４の開閉弁１８ｄがそれぞれ設けられる。また、これらの第３の開閉弁１８ｃおよび第４の開閉弁１８ｄが開いているときに、電子機器室ｘから循環してきた空気ａが吸気室ｙおよび排気室ｚ内をエンドレスに循環するようになっている。
【００２５】
そして、空気ａの湿分が少なくなり湿度が、例えば２０％ＲＨ以下になるまでこの循環を繰り返すようになっている。すなわち、電子機器室ｘ内を所定の湿度、例えば２０％ＲＨ以下の環境下にて電子機器が故障することなく正常に作動させるために、機器収納容器１２内には、その例えば天井部に湿度センサＨが設けられ、所望の湿度を保持できるようになっている。
【００２６】
また、壁体１１には、吸湿器組立１３の排気室ｚの底部に吸湿空気排出口１１ｃを設けている。
【００２７】
中容器１８には、機器収納容器１２内の空気ａを所望に乾燥させて乾燥空気ａ１を生成すると共に、逆に吸湿空気ａ２を生成する吸湿器１４が設けられる。この吸湿器１４にて生成された吸湿空気ａ２は、吸湿空気排出口１１ｃから外部へ放出できるようになっている。
【００２８】
歯車状吸湿体１５は、吸湿シート２０を複数結合させて形成したもので、図３に示すように、複数の吸湿シート２０を放射状に配置させて設けたものである。そして、この歯車状吸湿体１５には、機器収納容器１２内を２分するように中央部に仕切壁１７が設けられる。仕切壁１７により、吸気室ｙ側に室内空気吸入部１６が、また、排気室ｚに歯車状吸湿体１５が位置するように取り付けられる。
【００２９】
室内空気吸入部１６は、その先端部に設けた空気導入口１６ａと、風を起して歯車状吸湿体１５側に送風するブロア１６ｂと、送風をガイドする風案内筒部１６ｃとから構成される。そして、この吸湿器１４が作動することにより、歯車状吸湿体１５側に風を吹きつけて、湿分を含む吸湿空気ａ２を生成するように設けられる。
【００３０】
壁体１１側に設けられた吸気室ｙ側の壁面１１ａに外気導入口１１ｂが設けられる。そして、この外気導入口１１ｂおよび吸湿空気排出口１１ｃには、それぞれの開口を開閉する第１の開閉弁１１ｄおよび第２の開閉弁１１ｅが設けられる。
【００３１】
次に、吸湿器１４について更に具体的に説明する。
【００３２】
吸湿器１４は、容器内を吸気室ｙ側と排気室ｚ側に仕切るように設けられる。
【００３３】
この吸湿器１４は、図２に示すように、室内空気吸入部１６の空気導入口１６ａの近部にブロア１６ｂが、また、このブロア１６ｂに接続して風案内筒部１６ｃがそれぞれ設けられる。
【００３４】
また、吸湿器１４は、図３に示すように、複数の吸湿シート２０を放射状に一体的に配置して一方側に室内空気吸入部１６を、他方側を筒状に形成した吸湿手段としての歯車状吸湿体１５を設けられる。
【００３５】
また、複数の吸湿シート２０は、それぞれ放射状に配設され、図４に示すように、片面吸湿シート２０ａおよび２０ｂを２枚合わせにし、ニクロム線２１を挟み込み重合して形成される。また、この複数の吸湿シート２０には、図４に示すように、複数の透孔２０ｃが設けられ、表面積を大きくして、吸湿した水分の放散効率をより大きくしている。
【００３６】
次に、吸湿装置１０の作用について説明する。
【００３７】
航空機が飛翔すると、機器収納容器１２内の電子機器Ｐが作動する。当初の機器収納容器１２の空気ａは、所定の湿分（水分）を含んだ状態にあるが、この空気ａの湿度が、例えば２０％ＲＨ以上になると、湿度センサＨが作動して機器収納容器１２内の湿度が２０％ＲＨ以下になるように吸湿器１４により制御される。
【００３８】
この吸湿器１４の制御について以下に説明する。
【００３９】
航空機の壁面１１ａの外気導入口１１ｂおよび吸湿空気排出口１１ｃを、それぞれ第１の開閉弁１１ｄおよび第２の開閉弁１１ｅにて実線で示す位置まで移動して閉じる。一方、中容器１８の吸気口１８ａおよび排気口１８ｂを、それぞれ第３の開閉弁１８ｃおよび第４の開閉弁１８ｄを実線で表示した位置まで移動して開放する。この状態において、航空機のエンジン始動等に伴って電子機器Ｐが作動すると、吸湿器１４が、例えば同時に作動する。吸湿器１４が作動すると、図２に示すように、室内空気吸入部１６のブロア１６ｂが作動して、吸気口１８ａから吸気室ｙ内へ空気ａが吸入される。
【００４０】
吸気室ｙ内へ吸入された空気ａは、室内空気吸入部１６に入り、そのブロア１６ｂにより発生した風を歯車状吸湿体１５に送風する。歯車状吸湿体１５に送風された空気ａは、図３に示すように、複数の吸湿シート２０の間隙に進入して湿分が吸湿され、乾燥空気ａ１として生成される。
【００４１】
そして、乾燥空気ａ１の湿度が、２０％ＲＨ以下になるまでブロア１６ｂが作動し続ける。２０％ＲＨ以下になった乾燥空気ａ１は、図３の矢印に示すように放出され、図１に示すように、電子機器室ｘ側へ放出される。その繰り返しにより電子機器室ｘ内は乾燥空気ａ１が充満する環境となる。従って、電子機器室ｘ内の湿度は、所望に保持され、電子機器Ｐの作動環境が良好に保持される。ここで、電子機器Ｐの作動環境が良好に保持するについて、例えば乾燥空気ａ１の湿度を、例えば２０％ＲＨ以下に設定したが、電子機器Ｐの作動特性により適宜変更してもよい。
【００４２】
次に、長時間使用すると、吸湿器１４の吸湿シート２０には吸湿限度の水分が吸着する。そこで、今度は、壁体１１の吸湿空気排出口１１ｃの第２の開閉弁１１ｅを開放すると共に中容器１８の吸気口１８ａおよび排気口１８ｂの第３の開閉弁１８ｃおよび第４の開閉弁１８ｄを閉じる。そして、吸湿器１４を作動させると、吸湿していた歯車状吸湿体１５の複数の吸湿シート２０から水分が風で吹き飛ばされて吸湿空気ａ２となり内部空気排出口１１ｃから外部へ放出される。
【００４３】
なお、ここで、吸湿空気ａ２を内部空気排出口１１ｃから外部へ放出する際に、流入する乾燥空気ａ１が不足すると室内空気吸入部１６のブロア１６ｂの作動効率が低下する場合には、第１の開閉弁１１ｄを開放して外気を入れるようにしてもよい。
【００４４】
このように、複数の吸湿シート２０から水分が外部へ放出されることにより、この複数の吸湿シート２０は徐々に乾燥し再利用可能な状態になる。そこで、今度は内部空気排出口１１ｃを閉じると共に、吸湿器組立１３の第３の開閉弁１８ｃおよび第４の開閉弁１８ｄを開放状態にすれば、元のような吸湿器１４が機能する作動状態に戻る。
【００４５】
次に、吸湿器１４が作動すると、電子機器室ｘが所定に乾燥した環境におかれるので、電子機器Ｐを支障なく作動させることができる。
【００４６】
なお、上述した吸湿器１４には、ブロア１６ｂを用いて、強制的に風を吹きつけるようにしたものであるが、図５に示すような吸湿器２５を用いることができる。
【００４７】
図５は、図３に示す吸湿器の他の実施例を示す一部切欠斜視図である。図５に示す吸湿器２５は、複数の吸湿シート２６をモータ２７によりモータ駆動軸（図示せず）に変速ギア２８を介して矢視方向に回転駆動させる。
【００４８】
すなわち、吸湿器２５は、その大部分を吸湿器組立１３の排気室ｚ側に設けるようにし、空気導入口２５ａから導入した空気ａを吸気室ｙ側または排気室ｚ側で振り払い、外部へ放出させるようにすることができる。
【００４９】
また、上述した吸湿シート２０および２６は、図４に示すように、片面吸湿シート２０ａ，２０ｂを重合して設けたが、モールド製法により一体的に製作してもよい。更に片面吸湿シート２０ａ，２０ｂには、電気ヒータとしてニクロム線２１を用いたが、吸湿シート２６をより薄型化するために面ヒータ（図示せず）等のシート状のものを採用することもできる。
【００５０】
［第２の実施形態］
次に、本発明にかかる吸湿装置の第２の実施形態について、図１〜図３と同一部分に同一符号を附した図６〜図９を参照して説明する。
【００５１】
図６は、本発明の吸湿装置の第２の実施形態（吸湿装置１０Ａ）における一使用態様を示す要部縦断側面図である。
【００５２】
図６に示す吸湿装置１０Ａに示す吸湿器組立１３は、図１に示すように、新たな吸湿器組立１３を設けた構成である。
【００５３】
この吸湿器組立１３は、吸気室ｙ側と排気室ｚ側とを仕切る仕切壁１７に新たに設けた第５の開閉弁３０と、排気室ｚ内に設けられる除湿装置３１とから構成される。
【００５４】
除湿装置３１は、除湿室３１ａと、この除湿室３１ａ内に設けられる冷却器３２を備えている。除湿室３１ａは、その室壁に第６の開閉弁３１ｂが設けられ、除湿室３１ａの底部が排気室ｚに設けられる吸湿空気排出口１１ｃに通じるように設けられる。
【００５５】
他の構成は、図１に示す第１の実施形態の構成と同様であるので説明を省略する。
【００５６】
次に、吸湿装置１０Ａの作用について、図６〜図９について説明する。
【００５７】
図６に示す吸湿装置１０Ａに示す吸湿器組立１３の状態は、通常の運用時の状態を示している。
【００５８】
この状態は、吸湿器組立１３の機器収納容器１２に吸入された室外空気ｂが電子機器室ｘ内を循環し、電子機器Ｐからの放熱を吸熱した室内空気ａを外部に排出している状態である。この運用状態において、室内空気ａが所定の管理温度の閾値に達すると、温度センサＨが作用して、図７に示すように、吸湿器１４の脱湿が行われる。
【００５９】
この脱湿は、第５の開閉弁３０と第６の開閉弁３１ｂのみが開放し、他の弁は閉じ、吸湿器１４を作動させる。すると、吸湿器１４の室内空気吸入部１６のブロア１６ｂが作動して歯車状吸湿部１５から湿分を振り払い、この振り払われた吸湿空気ａ２が除湿装置３１の除湿室３１ａ内へ流入する。
【００６０】
なお、この時に吸湿器１４の歯車状吸湿部１５の吸湿シート２０に設けたニクロム線を作用させれば湿分が加熱され、蒸発効果が良好であるので必要に応じて作用させることができる。そして、除湿室３１ａ内へ流入した吸湿空気ａ２は、冷却器３２により冷却されて湿分が冷却器３２の表面に付着する。
【００６１】
次に、図８に示すように、第６の開閉弁３１ｂを閉じる一方、第２の開閉弁１１ｅを開放することにより、冷却器３２に付着した湿分が水滴（図示せず）となって落下し、吸湿空気排出口１１ｃを介して外部に排出される。
【００６２】
なお、冷却器３２に付着した湿分を早く水滴化させるために、図示しない強制加熱用の除湿ヒータを設けてもよい。
【００６３】
続いて、図９に示すように、吸気室ｙの第３の開閉弁１８ｃおよび排気室ｚの第４の開閉弁１８ｄのみを開放する一方、吸湿器１４を作動することにより、電子機器Ｐの脱湿を行う。
【００６４】
その他の作用は、上述した吸湿装置１０の第１の実施形態と同様であるので、説明を省略する。
【００６５】
従って、吸湿装置１０の運転により電子機器室ｘが所定に乾燥した環境におかれるので、電子機器Ｐを支障なく作動させることができる。
【図面の簡単な説明】
【００６６】
【図１】本発明の吸湿装置の第１の実施形態を示す要部縦断側面図。
【図２】図１の吸湿器組立の吸湿器の外観イメージを示す斜視図。
【図３】図２に示す吸湿器に対する空気の流通路を示す吸湿器の側面図。
【図４】図３に示す吸湿器の歯車状吸湿体の吸湿シートの拡大斜視図。
【図５】図３に示す吸湿器の他の実施例を示す一部切欠斜視図。
【図６】本発明の吸湿装置の第２の実施形態における吸湿器組立の一使用態様を示す要部縦断側面図。
【図７】図６に示す吸湿器組立の他の使用態様を示す図。
【図８】図６に示す吸湿器組立の更に他の使用態様を示す図。
【図９】図６に示す吸湿器組立の更にまた他の使用態様を示す図。
【図１０】従来の吸湿装置を示す要部断面図。
【符号の説明】
【００６７】
１０，１０Ａ  吸湿装置
１１  壁体
１１ａ  壁面
１１ｂ  外気導入口
１１ｃ  吸湿空気排出口
１１ｄ  第１の開閉弁
１１ｅ  第２の開閉弁（吸湿空気放出手段）
１２  機器収納容器
１３  吸湿器組立（吸湿装置本体）
１４，２５  吸湿器
１５  歯車状吸湿体
１６  室内空気吸入部
１６ａ，２５ａ  空気導入口
１６ｂ  ブロア
１６ｃ  風案内筒部
１７  仕切壁
１８  中容器
１８ａ  吸気口
１８ｂ  排気口
１８ｃ  第３の開閉弁
１８ｄ  第４の開閉弁
２０，２６  吸湿シート
２０ａ，２０ｂ  片面吸湿シート
２０ｃ  透孔
２１  ニクロム線
２７  モータ
２８  変速ギア
３０  第５の開閉弁
３１  除湿装置
３１ａ  除湿室
３１ｂ  第６の開閉弁
３２  冷却器
ａ  室内空気
ａ１  乾燥空気
ａ２  吸湿空気
ｂ  室外空気
Ｐ  電子機器
Ｈ  湿度センサ
ｘ  電子機器室
ｙ  吸気室
ｚ  排気室
【図１】
0005178124.tif 000002
【図２】
0005178124.tif 000003
【図３】
0005178124.tif 000004
【図４】
0005178124.tif 000005
【図５】
0005178124.tif 000006
【図６】
0005178124.tif 000007
【図７】
0005178124.tif 000008
【図８】
0005178124.tif 000009
【図９】
0005178124.tif 000010
【図１０】
0005178124.tif 000011